(57)【要約】      （修正有）【課題】あご（飛魚の別称）や煮干し等の出汁パックに関し、短時間で出汁の抽出ができ、出汁パック内が目視でき、内容物の洩れも軽減でき、使用後の出汁もパックから容易取り出せる出汁パックを提供する。【解決手段】出汁パック本体１０は、筒体網４の１端（テトラ型出汁パックを形成する第１の圧着線）を圧着し、出汁パックの袋内部に、あごや煮干し等の出汁粉末３を詰め込み後、筒体網４の他端（第１の圧着線の長さにほぼ等しい位置）を圧着（テトラ型出汁パックを形成する第２の圧着線）してテトラ状に出汁パック形成した。テトラ型出汁パックの素材は、ナイロン紗を用いたが、可視可能であれば脂肪族ポリエステル長繊維不織布等に代えてもよい。【選択図】図１
0003182276.tif 000002
【実用新案登録請求の範囲】
【請求項１】
出汁パックを４面でテトラ状に形成したことを特徴とするテトラ型出汁パック。
【請求項２】
上記出汁パック内の中身が可視可能な網からなることを特徴とする請求項１に記載のテトラ型出汁パック。
【考案の詳細な説明】
【技術分野】
【０００１】あご（飛魚の別称）や煮干し等の出汁パックに関する。
【背景技術】
【０００２】  本考案は、出汁パックに関し、短時間で出汁の抽出ができ、出汁パック内が目視でき、内容物の洩れも軽減でき、使用後の出汁もパックから容易取り出せる出汁パックを提供することにある。
【先行技術文献】
【特許文献】
【０００３】
【特許文献１】  特開２００６−３４６８３号公開特許公報
【０００４】
【考案の概要】
【考案が解決しようとする課題】
【０００５】  従来の紙でできた長方形の出汁平パックは、紙製で、一種のろ過紙であり、水の浸透率が悪く、出汁がでるまでに時間が掛かかり、出汁の抽出に時間を要した。また、素材も紙だった為、紙臭さが気になることもあった。
更に、透明性に乏しく、出汁パック内の中身がよく見えづらかった。
本考案の目的は、短時間で出汁の抽出ができ、出汁パック内が目視でき、内容物の洩れも軽減でき、使用後の出汁もパックから容易取り出せ、消費者に安心・安全な出汁パックを提供することにある。
【課題を解決するための手段】
【０００６】本考案に係るテトラ型出汁パックは、出汁パックの袋部分を４面でテトラ状に形成し、出汁パック内の中身が可視可能な紗で構成した。すなわち、市販の出汁パック形状を、長方形の平パックからテトラ型に変え、袋の素材を紙から袋素材の中身が可視可能な紗にすることにより透明度が増し、出汁パックの中身が見えるので透明性に優れ、消費者に中身が見えて安心安全を届けることができ、短時間で出汁の抽出ができ、出汁パック内が目視でき、内容物の洩れも軽減でき、使用後の「だし殻」もパックから容易に取り出せるようにした。
【考案の効果】
【０００７】本考案に係るテトラ型出汁パックは、上記構成としたことにより、市販の紙で出来た長方形の出汁平パックは、出汁の抽出に時間が掛かったのに比べ、水の浸透率が向上し、短時間で出汁の抽出ができ、更に出汁パックをテトラ型にすることにより水に入れた時の浸透率が大変よくなり、出汁の抽出率が格段に速くなった。また、市販の出汁袋は素材も紙だった為、紙臭さが気になることもあったが、素材を可視可能な紗にすることにより紙臭さは全くなくなった。
加えて、市販の出汁袋は透明性がなく中身がよく見えず不透明であったが、可視可能な紗にすることにより、消費者にとっては、出汁パックの中身が見えて安心・安全な出汁パックになった。更に、本考案のテトラ型パックは、内容物の洩れも軽減でき、使用後の出汁もパックから容易取り出せるようにした。
【図面の簡単な説明】
【０００８】
【図１】本考案に係る一実施例を示す傾視図である。
【図２】本考案に係る筒体網４のテトラ型出汁パックを形成する第１の圧着線と、第２の圧着線を示す説明図である。
【図３】本考案に係る図１の上面図である。
【考案を実施するための形態】
【０００９】本考案に係る実地例を図１から図３を参照して以下説明する。
【実施例】
【００１０】本実施例では、図１に図示する如くテトラ型出汁パック本体１は、筒体網４の１端（テトラ型出汁パックを形成する第１の圧着線１）を圧着し、出汁パックの袋内部に、あご（飛魚の別称）や煮干し等の出汁粉末３を詰め込み後、筒体網４の他端（第１の圧着線１の長さＬにほぼ等しい位置ｌ）を圧着（テトラ型出汁パックを形成する第２の圧着線２）してテトラ状に出汁パック形成した。
本実施例では、テトラ状に出汁パック形成するために、第１の圧着線１と、第２の圧着線２とは、９０度のねじり位相を設けたが、ねじり位相を６０度に設けて、ヒシ型の出汁パック形成することもできる。図中の符号５は、平面状の網を筒体網４を形成する際の筒体網形成圧着線を示す。本実施例でのテトラ型出汁パックの素材は、ナイロン紗を用いたが、可視可能であれば脂肪族ポリエステル長繊維不織布等に代えてもよいことは言うまでもない。その結果、透明性に優れ、消費者に中身が見えて安心安全を届けることができ、短時間で出汁の抽出ができ、出汁パック内が目視でき、内容物の洩れも軽減でき、使用後の「だし殻」もパックから容易に取り出せるようになった。
【産業上の利用可能性】
【００１１】  本考案に係る出汁パックは、あご（飛魚の別称）や煮干し等の出汁パックのみならず、例えば、コーヒやお茶などを充填して使用される種々の出汁パックに適用できる。
【符号の説明】
【００１２】１０・・・テトラ型出汁パック本体
１・・・テトラ型出汁パックを形成する第１の圧着線
２・・・テトラ型出汁パックを形成する第２の圧着線
３・・・あご（飛魚の別称）や煮干し等の出汁粉末
４・・・筒体網
５・・・筒体網形成圧着線
【図１】
0003182276.tif 000003
【図２】
0003182276.tif 000004
【図３】
0003182276.tif 000005
【手続補正書】
【提出日】平成24年12月17日(2012.12.17)
【手続補正１】
【補正対象書類名】実用新案登録請求の範囲
【補正対象項目名】全文
【補正方法】変更
【補正の内容】
【実用新案登録請求の範囲】
【請求項１】
出汁パックを四面体状に形成したことを特徴とする四面体型出汁パック。
【請求項２】
上記出汁パック内の中身が可視可能な網からなることを特徴とする請求項１に記載の四面体型出汁パック。
【手続補正２】
【補正対象書類名】明細書
【補正対象項目名】全文
【補正方法】変更
【補正の内容】
【考案の詳細な説明】
【技術分野】
【０００１】あご（飛魚の別称）や煮干し等の出汁パックに関する。
【背景技術】
【０００２】  本考案は、出汁パックに関し、短時間で出汁の抽出ができ、出汁パック内が目視でき、内容物の洩れも軽減でき、使用後の出汁もパックから容易取り出せる出汁パックを提供することにある。
【先行技術文献】
【特許文献】
【０００３】
【特許文献１】特開２００６−３４６８３号公開特許公報
【０００４】
【考案の概要】
【考案が解決しようとする課題】
【０００５】  従来の紙でできた長方形の出汁平パックは、紙製で、一種のろ過紙であり、水の浸透率が悪く、出汁がでるまでに時間が掛かかり、出汁の抽出に時間を要した。また、素材も紙だった為、紙臭さが気になることもあった。
更に、透明性に乏しく、出汁パック内の中身がよく見えづらかった。
本考案の目的は、短時間で出汁の抽出ができ、出汁パック内が目視でき、内容物の洩れも軽減でき、使用後の出汁もパックから容易取り出せ、消費者に安心・安全な出汁パックを提供することにある。
【課題を解決するための手段】
【０００６】本考案に係る四面体（以下、テトラを四面体に統一）型出汁パックは、出汁パックの袋部分を四面体状に形成し、出汁パック内の中身が可視可能な紗で構成した。すなわち、市販の出汁パック形状を、長方形の平パックから四面体型に変え、袋の素材を紙から袋素材の中身が可視可能な紗にすることにより透明度が増し、出汁パックの中身が見えるので透明性に優れ、消費者に中身が見えて安心安全を届けることができ、短時間で出汁の抽出ができ、出汁パック内が目視でき、内容物の洩れも軽減でき、使用後の「だし殻」もパックから容易に取り出せるようにした。
【考案の効果】
【０００７】本考案に係る四面体型出汁パックは、上記構成としたことにより、市販の紙で出来た長方形の出汁平パックは、出汁の抽出に時間が掛かったのに比べ、水の浸透率が向上し、短時間で出汁の抽出ができ、更に出汁パックを四面体型にすることにより水に入れた時の浸透率が大変よくなり、出汁の抽出率が格段に速くなった。また、市販の出汁袋は素材も紙だった為、紙臭さが気になることもあったが、素材を可視可能な紗にすることにより紙臭さは全くなくなった。
加えて、市販の出汁袋は透明性がなく中身がよく見えず不透明であったが、可視可能な紗にすることにより、消費者にとっては、出汁パックの中身が見えて安心・安全な出汁パックになった。更に、本考案の四面体型パックは、内容物の洩れも軽減でき、使用後の出汁もパックから容易取り出せるようにした。
【図面の簡単な説明】
【０００８】
【図１】本考案に係る一実施例を示す傾視図である。
【図２】本考案に係る筒体網の四面体型出汁パックを形成する第１の圧着線と、第２の圧着線を示す説明図である。
【図３】本考案に係る図１の上面図である。
【考案を実施するための形態】
【０００９】本考案に係る実施例を図１から図３を参照して以下説明する。
【実施例】
【００１０】本実施例では、図１に図示する如く四面体型出汁パック本体１０は、筒体網４の１端（四面体型出汁パックを形成する第１の圧着線１）を圧着し、出汁パックの袋内部に、あご（飛魚の別称）や煮干し等の出汁粉末３を詰め込み後、筒体網４の他端（第１の圧着線１の長さＬにほぼ等しい位置ｌ）を圧着（四面体型出汁パックを形成する第２の圧着線２）して四面体状に出汁パックを形成した。
本実施例では、四面体状に出汁パックを形成するために、第１の圧着線１と、第２の圧着線２とは、９０度のねじり位相を設けたが、ねじり位相を６０度に設けて、ヒシ型の出汁パックを形成することもできる。図中の符号５は、平面状の網を筒体網４に形成する際の筒体網形成圧着線を示す。本実施例での四面体型出汁パックの素材は、ナイロン紗を用いたが、可視可能であれば脂肪族ポリエステル長繊維不織布等に代えてもよいことは言うまでもない。その結果、透明性に優れ、消費者に中身が見えて安心安全を届けることができ、短時間で出汁の抽出ができ、出汁パック内が目視でき、内容物の洩れも軽減でき、使用後の「だし殻」もパックから容易に取り出せるようになった。
【産業上の利用可能性】
【００１１】  本考案に係る出汁パックは、あご（飛魚の別称）や煮干し等の出汁パックのみならず、例えば、コーヒやお茶などを充填して使用される種々の出汁パックに適用できる。
【符号の説明】
【００１２】１０・・四面体型出汁パック本体
１・・・四面体型出汁パックを形成する第１の圧着線
２・・・四面体型出汁パックを形成する第２の圧着線
３・・・あご（飛魚の別称）や煮干し等の出汁粉末
４・・・筒体網
５・・・筒体網形成圧着線